(57)【要約】  洗濯機の洗浄方法であって、ａ．前記洗濯機に衣類タグを備えた衣類が投入されると、衣類タグの情報を識別し、取得した衣類タグの情報によって衣類を選別するステップと、ｂ．洗濯機を起動し、ステップａで取得した衣類タグの情報に基づき洗浄プログラムを決定するステップと、ｃ．洗濯機の給水前に再び衣類タグの情報を識別し、当該ステップｃで取得した衣類タグの情報により衣類を選別して洗浄プログラムを決定するステップと、を含む。当該洗濯機の洗浄方法は、洗濯機による衣類の識別率を向上させるとともに、読取エラー率を低下させ、且つ、洗濯物に対する洗浄効果を向上可能である。【選択図】  図１
2019536517.tif 000002
【特許請求の範囲】
【請求項１】
ａ．洗濯機に衣類タグを備えた衣類が投入されると、前記衣類タグの情報を識別し、取得した前記衣類タグの情報によって前記衣類を選別するステップと、
ｂ．前記洗濯機を起動し、ステップａで取得した前記衣類タグの情報に基づき洗浄プログラムを決定するステップと、
ｃ．前記洗濯機の給水前に再び衣類タグの情報を識別し、当該ステップｃで取得した前記衣類タグの情報により衣類を選別して洗浄プログラムを決定するステップと、を含むことを特徴とする洗濯機の洗浄方法。
【請求項２】
前記ステップａの前に、更に、洗濯機における衣類タグ識別機能の起動を要するか否かをユーザが選択し、起動しない場合には衣類タグ識別を伴わない洗浄プログラムに進み、起動する場合には、洗濯機の衣類タグ識別機能を起動してステップａに進む、とのステップを含むことを特徴とする請求項１に記載の洗濯機の洗浄方法。
【請求項３】
ステップｃにおいて、前記の衣類タグの情報を再び識別する際には、新たに追加された衣類タグの情報があるか否かを判断し、ある場合にはステップｃ１に進み、ない場合にはステップｃ２に進み、
ステップｃ１では、新たに追加された衣類タグに対応する衣類が現在の洗浄プログラムと一致するか否かを判断し、一致しない場合には、一致しない衣類を現在の洗浄プログラムに加えるか否かをユーザに確認し、一致する場合には、洗浄パラメータを調整し直して洗浄作業を実施し、
ステップｃ２では、ステップｃで取得した衣類タグの情報がステップａで取得した衣類タグの情報と一致しているか否かを比較し、一致している場合には、ステップｂで決定した洗浄プログラムに従って洗浄作業を実施し、一致していない場合には、ステップｃで取得した衣類タグの情報に基づいて洗浄プログラムを決定し直すことを特徴とする請求項１に記載の洗濯機の洗浄方法。
【請求項４】
前記ステップｃ１では、一致しない衣類を現在の洗浄プログラムに加えるか否かをユーザに確認した後、一致しない衣類を現在の洗浄プログラムに加えるとユーザが決定した場合には、洗浄パラメータを調整し直して洗浄作業を実施し、一致しない衣類を現在の洗浄プログラムに加えないとユーザが決定した場合には、一致しない衣類を取り出して再び前記ステップｂに進むことを特徴とする請求項３に記載の洗濯機の洗浄方法。
【請求項５】
前記ステップａとｂの間に、洗濯機の扉を閉止するステップを更に含むことを特徴とする請求項１に記載の洗濯機の洗浄方法。
【請求項６】
前記の洗濯機の給水前における衣類タグ情報の再識別は、洗濯機による衣類の計量段階で発生することを特徴とする請求項１に記載の洗濯機の洗浄方法。
【請求項７】
前記衣類タグはＲＦＩＤタグであることを特徴とする請求項１〜６のいずれかに記載の洗濯機の洗浄方法。
【請求項８】
前記洗濯機のＲＦＩＤアンテナによってＲＦＩＤタグ情報を識別することを特徴とする請求項７に記載の洗濯機の洗浄方法。
【請求項９】
前記洗濯機のＲＦＩＤアンテナは、前記ＲＦＩＤタグ情報を識別すると、識別した前記ＲＦＩＤタグ情報を洗濯機のＲＦＩＤリーダーを介して洗濯機の制御装置に伝送し、前記洗濯機の制御装置は、取得した前記ＲＦＩＤタグ情報に基づいて対応する洗浄プログラムを設定することを特徴とする請求項８に記載の洗濯機の洗浄方法。
【発明の詳細な説明】
【技術分野】
【０００１】
本発明は家電の技術分野に関し、具体的には、洗濯機の洗浄方法に関する。
【背景技術】
【０００２】
従来技術では、衣類の材質識別を実現するためにＲＦＩＤ識別技術を使用している。ＲＦＩＤ（Ｒａｄｉｏ Ｆｒｅｑｕｅｎｃｙ Ｉｄｅｎｔｉｆｉｃａｔｉｏｎ）技術は無線周波数識別とも称される。ＲＦＩＤ識別技術では、固有の識別番号のＲＦＩＤタグを衣類に縫い付け、そのＩＤ番号と衣類情報を一対一で対応付けておく。洗濯機はタグ情報を識別するだけで正確に衣類情報を取得可能なため、この種の方式は衣類の材質識別にとって現実的な実行可能性を有している。しかし、洗濯機のＲＦＩＤ識別技術については、ユーザが衣類を投入した際に、洗濯機によって未洗浄の衣類が読み誤られることがある。或いは、ＲＦＩＤタグの識別を１回しか行わないため識別率が高くはない。そのため、最終的に洗濯機により取得される洗浄パラメータが正確さを欠き、洗濯機による洗濯物の洗浄効果に支障をきたしてしまう。
【０００３】
これらに鑑みて、上記の欠点を解消又は緩和すべく、新型の洗濯機の洗浄方法を提供する必要がある。
【発明の概要】
【発明が解決しようとする課題】
【０００４】
本発明は、洗濯機による衣類の識別率を向上させるとともに、読取エラー率を低下させ、且つ、洗濯物に対する洗浄効果を向上可能な洗濯機の洗浄方法を提供することを目的とする。
【課題を解決するための手段】
【０００５】
上記の目的を実現するために、本発明は、洗濯機の洗浄方法であって、ａ．前記洗濯機に衣類タグを備えた衣類が投入されると、衣類タグの情報を識別し、取得した衣類タグの情報によって衣類を選別するステップと、ｂ．洗濯機を起動し、ステップａで取得した衣類タグの情報に基づき洗浄プログラムを決定するステップと、ｃ．洗濯機の給水前に再び衣類タグの情報を識別し、当該ステップｃで取得した衣類タグの情報により衣類を選別して洗浄プログラムを決定するステップ、を含む洗浄方法を提供する。
【０００６】
好ましくは、前記ステップａの前に、更に、洗濯機における衣類タグ識別機能の起動を要するか否かをユーザが選択し、起動しない場合には衣類タグ識別を伴わない洗浄プログラムに進み、起動する場合には、洗濯機の衣類タグ識別機能を起動してステップａに進む、とのステップを含む。
【０００７】
好ましくは、ステップｃにおいて、前記の衣類タグの情報を再び識別する際には、新たに追加された衣類タグの情報があるか否かを判断し、ある場合にはステップｃ１に進み、ない場合にはステップｃ２に進み、ステップｃ１では、新たに追加された衣類タグに対応する衣類が現在の洗浄プログラムと一致するか否かを判断し、一致しない場合には、一致しない衣類を現在の洗浄プログラムに加えるか否かをユーザに確認し、一致する場合には、洗浄パラメータを調整し直して洗浄作業を実施し、ステップｃ２では、ステップｃで取得した衣類タグの情報がステップａで取得した衣類タグの情報と一致しているか否かを比較し、一致している場合には、ステップｂで決定した洗浄プログラムに従って洗浄作業を実施し、一致していない場合には、ステップｃで取得した衣類タグの情報に基づいて洗浄プログラムを決定し直す。
【０００８】
好ましくは、前記ステップｃ１では、一致しない衣類を現在の洗浄プログラムに加えるか否かをユーザに確認した後、一致しない衣類を現在の洗浄プログラムに加えるとユーザが決定した場合には、洗浄パラメータを調整し直して洗浄作業を実施し、一致しない衣類を現在の洗浄プログラムに加えないとユーザが決定した場合には、一致しない衣類を取り出して再び前記ステップｂに進む。
【０００９】
好ましくは、前記ステップａとｂの間に、洗濯機の扉を閉止するステップを更に含む。
【００１０】
好ましくは、前記の洗濯機の給水前における衣類タグ情報の再識別は、洗濯機による衣類の計量段階で発生する。
【００１１】
好ましくは、前記衣類タグはＲＦＩＤタグである。
【００１２】
好ましくは、前記洗濯機の洗浄方法において、ＲＦＩＤタグ情報は洗濯機のＲＦＩＤアンテナにより識別される。
【００１３】
好ましくは、前記洗濯機のＲＦＩＤアンテナは、前記ＲＦＩＤタグ情報を識別すると、識別した前記ＲＦＩＤタグ情報を洗濯機のＲＦＩＤリーダーを介して洗濯機の制御装置に伝送し、洗濯機の制御装置は、取得した前記ＲＦＩＤタグ情報に基づいて対応する洗浄プログラムを設定する。
【発明の効果】
【００１４】
本発明は、従来技術に対して次の利点を有する。
【００１５】
即ち、当該洗濯機の洗浄方法では、ステップａとステップｃでそれぞれ衣類タグの情報識別を行うことから、２回の衣類タグの情報識別で衣類情報を決定可能である。２回識別することで識別の精度が向上するため、従来技術において識別が１回であるために発生する読取エラーや識別率の低下を明らかに低減できる。
【００１６】
本発明におけるその他の特徴及び利点については、後述の具体的実施形態部分において詳細に説明する。
【００１７】
本発明の具体的実施形態又は従来技術における技術方案をより明確に説明すべく、以下に、具体的実施形態又は従来技術を記載するにあたり使用を要する図面について簡単に述べる。なお、いうまでもなく、以下で記載する図面は本発明の実施例の一部であって、当業者であれば、創造的労働を要することなくこれらの図面から更にその他の図面を得ることが可能である。
【図面の簡単な説明】
【００１８】
【図１】本発明の好ましい実施形態における洗濯機の洗浄方法のフローチャートである。
【発明を実施するための形態】
【００１９】
以下に、図面を組み合わせて本発明の具体的実施形態につき詳細に説明する。なお、ここで記載する具体的実施形態は本発明を説明及び解釈するためのものにすぎず、本発明を制限するものではない。
【００２０】
図１に示すように、本発明は、ａ．洗濯機に衣類タグを備えた衣類が投入されると、衣類タグの情報を識別し、取得した衣類タグの情報によって衣類を選別するステップと、ｂ．洗濯機を起動し、ステップａで取得した衣類タグの情報に基づき洗浄プログラムを決定するステップと、ｃ．洗濯機の給水前に再び衣類タグの情報を識別し、当該ステップｃで取得した衣類タグの情報により衣類を選別して洗浄プログラムを決定するステップ、を含む洗濯機の洗浄方法を提供する。このうち、ステップａとｂの間には、洗濯機の扉を閉止するステップを更に含んでもよい。
【００２１】
上述したように、当該洗濯機の洗浄方法では、ステップａとステップｃでそれぞれ衣類タグの情報識別を行うことから、２回の衣類タグの情報識別で衣類情報を決定可能である。２回識別することで識別の精度が向上するため、従来技術において識別が１回であるために発生する読取エラーや識別率の低下を明らかに低減できる。
【００２２】
以上で言及した洗濯機の給水前における衣類タグ情報の再識別については、洗濯機による衣類の計量段階で発生させてもよい。なお、言うまでもなく、本発明はこれに限らず、衣類の投入及び給水前のどの段階で発生させてもよい。本発明の核心となる技術思想は、具体的にどの段階で２回目の衣類タグの情報識別を行うかではなく、給水前に２回目の衣類タグの情報識別を行うとの点にある。
【００２３】
本発明の好ましい実施形態では、衣類タグをＲＦＩＤタグとする。なお、言うまでもなく、本発明はこれに限らず、その他の技術タイプを用いた識別可能な衣類タグもまた本発明により保護される。
【００２４】
また、ステップａの前に、洗濯機における衣類タグ識別機能の起動を要するか否かをユーザが選択し、起動しない場合には、衣類タグ識別を伴わない洗浄プログラム（即ち、通常の洗浄プログラム）に進み、起動する場合には、洗濯機の衣類タグ識別機能を起動してステップａ（即ち、衣類タグ識別を伴う洗浄プログラム）に進む、とのステップを含んでもよい。
【００２５】
具体的には、ステップｃにおいて、衣類タグの情報を再び識別する際には、新たに追加された衣類タグの情報があるか否かを判断し、新たに追加された衣類タグの情報がある場合にはステップｃ１に進む。一方、新たに追加された衣類タグの情報がない場合には、ステップｃ２に進む。ここで、ステップｃ１では、新たに追加された衣類タグに対応する衣類が現在の洗浄プログラムと一致するか否か（即ち、衣類が現在の洗浄プログラムに適合するか否か）を判断し、新たに追加された衣類タグに対応する衣類が現在の洗浄プログラムと一致しない場合には、一致しない衣類を現在の洗浄プログラムに加えるか否か（即ち、新たに追加された衣類タグを備える衣類を現在の洗浄に加えるか否か）をユーザに確認する。そして、一致しない衣類を現在の洗浄プログラムに加えるとユーザが決定した場合には、洗浄パラメータを調整し直して洗浄作業を実施する（洗濯機が衣類タグの情報を分析し、相応のアルゴリズムに基づいて対応する洗浄パラメータを取得するが、ここでは詳細に説明しない）。一方、一致しない衣類を現在の洗浄プログラムに加えないとユーザが決定した場合には、一致しない衣類を取り出して再びステップｂに進む。また、新たに追加された衣類タグに対応する衣類が現在の洗浄プログラムと一致している場合には、洗浄パラメータを調整し直して洗浄作業を実施する。
【００２６】
ステップｃ２では、ステップｃで取得した衣類タグの情報とステップａで取得した衣類タグの情報の一致性を比較する。ステップｃで取得した衣類タグの情報がステップａで取得した衣類タグの情報と一致している場合には、ステップｂで決定した洗浄プログラムに従って洗浄作業を実施する。一方、ステップｃで取得した衣類タグの情報がステップａで取得した衣類タグの情報と一致していない場合には、ステップｃで取得した衣類タグの情報に基づいて洗浄プログラムを決定し直す。即ち、最後に識別した衣類タグの情報を基準とする。
【００２７】
本発明の具体的実施形態によれば、当該洗濯機の洗浄方法において、ＲＦＩＤタグ情報は洗濯機のＲＦＩＤアンテナにより識別される。洗濯機のＲＦＩＤアンテナは、ＲＦＩＤタグ情報を識別すると、取得されたＲＦＩＤタグ情報に基づいて洗濯機の制御装置が対応する洗浄プログラムを設定するよう、識別したＲＦＩＤタグ情報を洗濯機のＲＦＩＤリーダーを介して洗濯機の制御装置に伝送する。なお、言うまでもなく、これらの情報をユーザに提示すべく、洗濯機の制御装置を洗濯機のディスプレイに接続してもよい。
【００２８】
全ての洗浄作業が完了すれば、洗浄作業を終了可能となる。
【００２９】
言うまでもなく、上記の実施形態は一例を明確に説明するためのものにすぎず、実施形態を限定するものではない。当業者であれば、上記の説明を元にその他異なる形式の変形又は変更を実施可能であるが、ここでは実施形態の全てを提示する必要はなく、またそれも不可能である。また、上記から派生する自明な変形又は変更も本発明創造の保護の範囲である。
【図１】
2019536517.tif 000003
【国際調査報告】
2019536517.tif 000004
2019536517.tif 000005
2019536517.tif 000006
2019536517.tif 000007